(57)【要約】【課題】分岐部分の根本近くへの固定具の取付及び結束バンドの締付けを、より簡易に行え、かつ、分岐部分及び固定具取付位置の寸法精度を向上すること。【解決手段】分岐元線ＷＨａの途中から分岐線ＷＨｂが分岐するワイヤーハーネスＷＨの分岐部分ＷＨｄを結束するためのワイヤーハーネスＷＨの分岐部分結束用治具１０であって、分岐部分ＷＨｄを載置状に支持可能で、かつ、固定具５０を位置決め可能な固定具位置決め部１４が形成された受部１２と、受部１２から突出して分岐線ＷＨｂを案内支持する一対の支持棒３２ａとを備え、受部１２には、結束バンド６０を固定具５０のバンド挿通孔５８ａに向けて案内する案内路１６が形成され、受部１２の上方に、バンド締付け具７０を、結束バンドを締付ける位置に配置可能な締付作業領域が設けられている。【選択図】図６
2008288131.tif 000002
【特許請求の範囲】
【請求項１】
分岐元線の途中から分岐線が分岐するワイヤーハーネスの分岐部分を結束するためのワイヤーハーネスの分岐部分結束用治具であって、
前記分岐部分を載置状に支持可能で、かつ、前記ワイヤーハーネス固定用の固定具を位置決め可能な固定具位置決め部が形成された受部と、
前記受部から突出し、前記受部で支持される前記分岐部分の分岐線を案内支持する一対の支持棒と、
を備え、
前記受部には、結束バンドを前記固定具位置決め部に位置決めされる前記固定具のバンド挿通孔に向けて案内する案内路が形成され、
前記受部の上方に、バンド締付け具を、前記結束バンドを締付ける位置に配置可能な締付作業領域が設けられている、ワイヤーハーネスの分岐部分結束用治具。
【請求項２】
請求項１記載のワイヤーハーネスの分岐部分結束用治具であって、
前記案内路は、一対の前記結束バンドを、前記分岐線の両側で前記分岐元線を結束可能な位置に略並行状に案内するように形成された、ワイヤーハーネスの分岐部分結束用治具。
【請求項３】
請求項２記載のワイヤーハーネスの分岐部分結束用治具であって、
前記一対の支持棒を結ぶ線分の垂直２等分線上の位置に、前記分岐線とは反対側で、前記受部で支持される前記分岐部分の前記分岐元線を支持する元線支持棒を有し、
前記一対の支持棒を結ぶ方向において前記元線支持棒の両側に、前記締付作業領域が設けられている、ワイヤーハーネスの分岐部分結束用治具。
【請求項４】
請求項１又は請求項２記載のワイヤーハーネスの分岐部分結束用治具であって、
前記一対の支持棒を結ぶ線分の垂直２等分線上を外れ、かつ、前記分岐部分周りに配設される前記結束バンドの上方位置を避けた位置に、前記分岐線とは反対側で、前記受部で支持される前記分岐部分の前記分岐元線を支持する元線支持棒を有し、
前記元線支持棒よりも前記一対の支持棒を結ぶ線分の垂直２等分線側に、前記締付作業領域が設けられている、ワイヤーハーネスの分岐部分結束用治具。
【請求項５】
請求項１〜請求項４記載のいずれかに記載のワイヤーハーネスの分岐部分結束用治具であって、
前記固定具位置決め部に位置決めされた前記固定具の浮き上がりを防止するように前記固定具に係脱可能に係止するロック機構部をさらに備えたワイヤーハーネスの分岐部分結束用治具。
【請求項６】
請求項１〜請求項５のいずれかに記載のワイヤーハーネスの分岐部分結束用治具であって、
前記案内路は、前記分岐線が延出する側に開口する開口部を有する、ワイヤーハーネスの分岐部分結束用治具。
【請求項７】
請求項１〜請求項５のいずれかに記載のワイヤーハーネスの分岐部分結束用治具であって、
前記一対の支持棒は、略Ｕ字状部分を有する保持具の一部であり、
前記受部に前記一対の支持棒を挿通可能な一対の装着孔が形成され、
前記一対の支持棒が前記一対の装着孔に挿通されることで、前記受部が前記保持具に装着された、ワイヤーハーネスの分岐部分結束用治具。
【請求項８】
請求項１〜請求項７のいずれかに記載のワイヤーハーネスの分岐部分結束用治具を用いたワイヤーハーネスの製造方法であって、
前記固定具を前記固定具位置決め部で位置決めする工程と、
前記分岐部分を前記受部で載置状に支持すると共に前記分岐線を前記一対の支持棒で案内支持する工程と、
前記結束バンドを、前記案内路を経由して前記固定具のバンド挿通孔に通す工程と、
前記分岐部分を前記受部で載置状に支持したままの状態で、前記バンド締付け具を前記締付作業領域に配設して、前記結束バンドを締付ける工程と、
を備えたワイヤーハーネスの製造方法。
【発明の詳細な説明】
【技術分野】
【０００１】
この発明は、ワイヤーハーネスの分岐部分を結束する技術に関する。
【背景技術】
【０００２】
自動車等に搭載されるワイヤーハーネスには、略Ｔ字状の分岐部分が存在している。
【０００３】
従来では、そのようなワイヤーハーネスを製造するにあたっては、複数の電線を所定の布線形態に従って電線保持具上に布線した後、分岐部分を電線保持具から外して粘着テープを巻付けて結束し、その分岐形態を保持していた。
【０００４】
また、ワイヤーハーネスを車体等に取付けるにあたっては、各分岐部分間にクランプ部材を取付け、当該クランプ部材を介して車体への取付を行っていた。
【０００５】
しかしながら、ワイヤーハーネスの分岐部分を電線保持具から外して結束作業を行うと、当初の布線形態からずれが生じ、寸法品質が安定し難いという問題がある。また、各分岐部分間に取付けられたクランプ部材を介して、ワイヤーハーネスを車体に取付ける構成では、ワイヤーハーネスの分岐部分が車体に対して変動し易いため、ワイヤーハーネス全体の正確な位置決めが困難であるという問題がある。
【０００６】
そこで、特許文献１は、電線束の分岐点を電線保持具に保持させたままの状態で結束バンドで結束する技術を開示している。また、特許文献１は、結束バンドをクリップに挿通することで、分岐部分にクリップを取付ける技術を開示している。
【０００７】
【特許文献１】特開２００５−２７４６３号公報
【発明の開示】
【発明が解決しようとする課題】
【０００８】
しかしながら、特許文献１に開示の技術では、一般的な三つ叉状の電線保持具で電線を保持した状態で結束バンドによる結束を行うため、クリップの配設位置や結束バンドの締付けに制約がある。例えば、三つ叉状分岐部分の根本近くにクリップを配設して結束バンドで締結することは難しい。
【０００９】
そこで、本発明は、分岐部分の根本近くへの固定具の取付及び結束バンドの締付けを、より簡易に行え、かつ、分岐部分及び固定具取付位置の寸法精度を向上することを目的とする。
【課題を解決するための手段】
【００１０】
上記課題を解決するため、第１の態様に係るワイヤーハーネスの分岐部分結束用治具は、分岐元線の途中から分岐線が分岐するワイヤーハーネスの分岐部分を結束するためのワイヤーハーネスの分岐部分結束用治具であって、前記分岐部分を載置状に支持可能で、かつ、前記ワイヤーハーネス固定用の固定具を位置決め可能な固定具位置決め部が形成された受部と、前記受部から突出し、前記受部で支持される前記分岐部分の分岐線を案内支持する一対の支持棒と、を備え、前記受部には、結束バンドを前記固定具位置決め部に位置決めされる前記固定具のバンド挿通孔に向けて案内する案内路が形成され、前記受部の上方に、バンド締付け具を、前記結束バンドを締付ける位置に配置可能な締付作業領域が設けられているものである。
【００１１】
第２の態様は、第１の態様において、前記案内路は、一対の前記結束バンドを、前記分岐線の両側で前記分岐元線を結束可能な位置に略並行状に案内するように形成されものである。
【００１２】
第３の態様は、第２の態様において、前記一対の支持棒を結ぶ線分の垂直２等分線上の位置に、前記分岐線とは反対側で、前記受部で支持される前記分岐部分の前記分岐元線を支持する元線支持棒を有し、前記一対の支持棒を結ぶ方向において前記元線支持棒の両側に、前記締付作業領域が設けられているものである。
【００１３】
第４の態様は、第１又は第２の態様において、前記一対の支持棒を結ぶ線分の垂直２等分線上を外れ、かつ、前記分岐部分周りに配設される前記結束バンドの上方位置を避けた位置に、前記分岐線とは反対側で、前記受部で支持される前記分岐部分の前記分岐元線を支持する元線支持棒を有し、前記元線支持棒よりも前記一対の支持棒を結ぶ線分の垂直２等分線側に、前記締付作業領域が設けられているものである。
【００１４】
第５の態様は、第１〜第４の態様において、前記固定具位置決め部に位置決めされた前記固定具の浮き上がりを防止するように前記固定具に係脱可能に係止するロック機構部をさらに備えたものである。
【００１５】
第６の態様は、第１〜第５の態様において、前記案内路は、前記分岐線が延出する側に開口する開口部を有するものである。
【００１６】
第７の態様は、第１〜第５の態様において、前記一対の支持棒は、略Ｕ字状部分を有する保持具の一部であり、前記受部に前記一対の支持棒を挿通可能な一対の装着孔が形成され、前記一対の支持棒が前記一対の装着孔に挿通されることで、前記受部が前記保持具に装着されたものである。
【００１７】
第８の態様は、第１〜第７のいずれかに記載のワイヤーハーネスの分岐部分結束用治具を用いたワイヤーハーネスの製造方法であって、前記固定具を前記固定具位置決め部で位置決めする工程と、前記分岐部分を前記受部で載置状に支持すると共に前記分岐線を前記一対の支持棒で案内支持する工程と、前記結束バンドを、前記案内路を経由して前記固定具のバンド挿通孔に通す工程と、前記分岐部分を前記受部で載置状に支持したままの状態で、前記バンド締付け具を前記締付作業領域に配設して、前記結束バンドを締付ける工程と、を備えたものである。
【発明の効果】
【００１８】
この第１の態様に係るワイヤーハーネスの分岐部分結束用治具によると、固定具位置決め部に固定具を位置決めすると共に、ワイヤーハーネスの分岐部分を受部で載置状に支持した状態で、結束バンドの締付けを行える。このため、分岐部分の根本近くへの固定具の取付及び結束バンドの締付けを、簡易に行え、また、分岐部分及び固定具取付位置の寸法精度を向上できる。
【００１９】
第２の態様によると、一対の結束バンドにより、前記分岐線の両側で前記分岐元線を結束し易くなる。これにより、結束後に結束バンドがずれにくくなり、分岐部分の形態が安定する。
【００２０】
第３の態様によると、元線支持棒で分岐元線を支持しつつ、分岐線の両側で分岐元線に対する一対の結束バンドの締付作業を行える。これにより、分岐部分及び固定具取付位置の寸法精度をより向上できる。
【００２１】
第４の態様によると、元線支持棒で分岐元線を支持しつつ、前記元線支持棒よりも前記一対の支持棒を結ぶ線分の垂直２等分線側の締付作業領域で、結束バンドの締結作業を行える。これにより、分岐部分及び固定具取付位置の寸法精度をより向上できる。
【００２２】
第５の態様によると、結束バンドの締付作業時等における固定具の浮き上がりをより確実に防止できるため、分岐部分及び固定具取付位置の寸法精度をより確実に向上できる。
【００２３】
第６の態様によると、前記案内路は、前記分岐線が延出する側に開口する開口部を有するため、案内路の屈曲度合が緩くなり、結束バンドを円滑に挿入できる。
【００２４】
第７の態様によると、略Ｕ字状部分を有する保持具の一部である一対の支持棒を一対の装着孔に挿通することで、ワイヤーハーネスの分岐部分結束用治具を安価に提供することができる。
【００２５】
この第８の態様に係るワイヤーハーネスの製造方法によると、前記分岐部分を前記受部で載置状に支持したままの状態で、前記バンド締付け具を前記締付作業領域に配設して、前記結束バンドを締付けるため、分岐部分の根本近くへの固定具の取付及び結束バンドの締付けを、簡易に行え、また、分岐部分及び固定具取付位置の寸法精度を向上できる。
【発明を実施するための最良の形態】
【００２６】
以下、実施形態に係るワイヤーハーネスの分岐部分結束用治具及びワイヤーハーネスの製造方法について説明する。
【００２７】
まず、対象となるワイヤーハーネスの分岐部分を説明しておく。図１はワイヤーハーネスの分岐部分を示す底面図であり、図２はワイヤーハーネスの分岐部分を示す側面図である。
【００２８】
すなわち、ワイヤーハーネスＷＨは、例えば、車両等の各種電気機器を相互接続する配線材であり、複数の電線が各種電気機器の配設位置や配線経路に応じた態様で分岐して結束される。なお、ワイヤーハーネスＷＨに含まれるのは、電線に限られず、光ファイバ等、他の配線が含まれていてもよい。本分岐部分結束用治具１０は、このようなワイヤーハーネスＷＨにおいて、分岐元線ＷＨａの途中から分岐線ＷＨｂが分岐する部分ＷＨｄ、即ち、３方向に分岐する部分ＷＨｄを保持して結束するために用いられる。分岐部分ＷＨｄは、略Ｔ字状に分岐する態様であっても、略Ｙ字状に分岐する態様であっても構わない。また、３方向に分岐する部分ＷＨｄのうち、いずれの２方向延在部分を分岐元線ＷＨａとして捉え、また、いずれの１方向延在部分を分岐線ＷＨｂとして捉えるかは任意である。例えば、３方向に分岐する部分のうち最も多くの電線を含む２方向延在部分が分岐元線ＷＨａで、残りの１方向に延びる部分が分岐線ＷＨｂであると捉えてもよいし、また、３方向に分岐する部分のうち直線状に延びる２方向延在部分が存在する場合（略Ｔ字状に分岐する場合等）には、その直線状に延びる２方向延在部分が分岐元線で、残りの１方向に延びる部分が分岐線であると捉えてもよい。
【００２９】
上記のような分岐部分ＷＨｄにおいて、その根本近くに固定具５０が配設される。ここでは、分岐元線ＷＨａの側面であって分岐線ＷＨｂとこの分岐線ＷＨｂの反対側の側面との間の一側面、別の捉え方をすれば、分岐元線ＷＨａのうち分岐線ＷＨｂの延出位置に応じた外周側面であって分岐線ＷＨｂの延出位置に隣設する側面に、固定具５０が配設される。また、分岐元線ＷＨａのうち分岐線ＷＨｂの両側部分で、固定具５０と共に結束するようにして、結束バンド６０が巻回固定されている。この結束バンド６０により、分岐部分ＷＨｄが上記分岐形態で結束保持される。また、その分岐部分ＷＨｄに固定された固定具５０を用いて、当該分岐部分ＷＨｄが車体等に固定される。
【００３０】
ここで、固定具５０の一例について説明しておく。図３は固定具を示す斜視図であり、図４（ａ）は固定具を示す平面図、図４（ｂ）は固定具を示す正面図、図４（ｃ）は固定具を示す底面図、図４（ｄ）は固定具を示す側面図である。
【００３１】
この固定具５０は、いわゆるワイヤーハーネス固定用のクランプ又はクリップとも呼ばれる部材であり、固定本体部５２と、皿状部５４と、鍔状部５６と、バンド挿通部５８とを有しており、樹脂等で一体形成されている。
【００３２】
固定本体部５２は、先端部が若干先細りになる概略楕円柱状に形成されており、その両側部に突出及び退避可能な係合片５２ａが形成されている。この固定本体部５２を、車体側等に形成された固定孔に挿入すると、係合片５２ａが一旦退避した後突出して固定孔周縁部に抜け止状に係止するようになっている。
【００３３】
また、皿状部５４は、固定本体部５２の基端部から先端側に向けて順次拡開する皿状（ここでは楕円皿状）に形成されており、弾性変形容易な薄手の皿状に形成されている。そして、上記のように固定本体部５２の係合片５２ａが固定孔周縁部に抜け止状に係止した状態で、係合片５２ａとは逆側から、皿状部５４が固定孔周縁部に当接して抜け方向に付勢する。これにより、固定具５０が当該固定孔に対して一定位置で固定されるようになっている。
【００３４】
また、上記皿状部５４の縮径部分側に、鍔状部５６が形成されている。鍔状部５６は、皿状部５４と略同程度の広がり（皿状部５４より大きくてもよい）を持つ鍔状、ここでは、楕円鍔状に形成されている。この鍔状部５６は、上記皿状部５４よりも厚手に形成されており、本固定具５０を分岐部分結束用治具１０で支持する際の支持部分や、皿状部５４の保護、さらには、結束バンド６０をバンド挿通部５８に挿通する際の案内部分等として用いられる。
【００３５】
バンド挿通部５８は、鍔状部５６の外面に形成されており、結束バンド６０を挿通可能なバンド挿通孔５８ａを２つ有している。２つのバンド挿通孔５８ａは、仕切壁５８ｂによって仕切られた形態で、鍔状部５６の長軸方向に沿って並設されており、それぞれ鍔状部５６の短軸方向両側に開口している。バンド挿通孔５８ａの底面は、鍔状部５６の外面と面一状に形成されている。
【００３６】
結束バンド６０の一例についても説明しておく。図５（ａ）は結束バンドを示す正面図であり、図５（ｂ）は結束バンドを示す一部断面側面図である。
【００３７】
結束バンド６０は、線状体の束等を結束するためのものであり、樹脂等で形成されている。この結束バンド６０は、細帯状のバンド本体部６２と、バンド本体部６２の一端部に設けられた係止部６４とを有している。バンド本体部６２の他端部の一側面には、係止溝６２ａが形成されている。係止部６４は、バンド本体部６２を挿通可能な筒部６４ａと、筒部６４ａ内に形成された係止爪部６４ｂとを有している。そして、バンド本体部６２を線状体の束等に巻回した状態で、バンド本体部６２の他端部を筒部６４ａ内に挿通すると、係止爪部６４ｂが係止溝６２ａに係止して、線状体を束ねて保持できるようになっている。
【００３８】
ワイヤーハーネスの分岐部分結束用治具１０について説明する。図６は同分岐部分結束用治具に固定具をセットした状態を示す斜視図であり、図７（ａ）は同状態を示す平面図であり、図７（ｂ）は同状態を示す側面図であり、図７（ｃ）は同状態を示す正面図であり、図７（ｄ）は同状態を示す側面図であり、図７（ｅ）は同状態を示す背面図である。
【００３９】
この分岐部分結束用治具１０は、受部１２と、一対の支持棒３２ａを有する保持具３０とを備えており、ワイヤーハーネスＷＨが組立られる組立板４０上に立設される。
【００４０】
保持具３０は、金属等で形成されており、直線状の棒状部分３１の上部に略Ｕ字状部分３２が形成された構成とされており、その略Ｕ字状部分３２の上端部が上記一対の支持棒３２ａを構成している。そして、この保持具３０に受部１２が装着された状態で、受部１２で支持される分岐部分ＷＨｄの分岐線ＷＨｂを一対の支持棒３２ａ間に通すようにして案内支持可能に構成されている。
【００４１】
なお、このような保持具３０は、上記受部１２が装着されない状態、即ち、それ単独でも、ワイヤーハーネスＷＨの部分、例えば、直線状部分を略Ｕ字状部分３２内に通すようにして所定高さで保持可能に構成されている。
【００４２】
受部１２は、樹脂等で形成された概略直方体状の部材に形成されている。この受部１２には、一対の支持棒３２ａを挿通可能な一対の装着孔１２ｈが形成されている。そして、一対の支持棒３２ａを一対の装着孔１２ｈ内に下方から挿通することで、本受部１２が保持具３０に装着されるようになっている。
【００４３】
また、受部１２が保持具３０に装着された状態で、受部１２は一対の支持棒３２ａの根本近傍から側方に延出している。そして、分岐線ＷＨｂを上記一対の支持棒３２ａ間に通すようにして配設されるワイヤーハーネスＷＨの分岐部分ＷＨｄを、本受部１２上に載置状に支持できるようになっている。
【００４４】
また、この受部１２の上向き面（分岐部分ＷＨｄを載置状に支持する面でもある）には、固定具５０を位置決め可能な固定具位置決め部１４が形成されている。固定具位置決め部１４は、固定具５０の固定本体部５２、皿状部５４及び鍔状部５６を含む部分を収容可能な凹状に形成されている。そして、固定具５０が、そのバンド挿通部５８を上方に突出させた姿勢で、固定具位置決め部１４に位置決め保持されるようになっている。
【００４５】
また、受部１２には、上記固定具位置決め部１４に位置決めされた固定具５０の浮き上がりを防止するように当該固定具５０に係脱可能に係止するロック機構部２０が設けられている。
【００４６】
ロック機構部２０は、係脱片２１と、付勢部２２と、操作片２３とを有している。
【００４７】
係脱片２１は、受部１２のうち固定具位置決め部１４側方に形成された凹部１３内で、係合位置と非係合位置との間で、下端部の支軸２１ａを介して揺動自在に取付けられている。この係脱片２１が係合位置に位置した状態で、係脱片２１の先端部が係合位置で固定具位置決め部１４内に保持された固定具５０の鍔状部５６に係合し、当該固定具５０が抜止め状に保持される。また、係脱片２１が非係合位置に位置した状態では、係脱片２１の先端部が固定具位置決め部１４内に保持された固定具５０の鍔状部５６から外側方へ退避移動し、固定具５０が固定具位置決め部１４に対して挿脱自在となる。
【００４８】
また、付勢部２２は、係脱片２１の下端部と凹部１３との間に介在するコイルバネ等によって構成されており（図７（ｄ）参照）、係脱片２１を非係合位置から係合位置に向けて付勢している。なお、付勢部２２としては、コイルバネに限らず、板バネ等種々の弾性付勢部材を用いることができる。
【００４９】
操作片２３は、係脱片２１に一体化されて当該係脱片２１の側方に突出している。そして、この操作片２３を受部１２の外側方に向けて指等で押すことで（図６の矢符Ａ参照）、上記係脱片２１が係合位置から非係合位置に向けて揺動するようになっている（図６の矢符Ｂ参照）。
【００５０】
なお、本ロック機構部２０は固定具５０の鍔状部５６に係脱可能に係合する構成となっているが、必ずしも鍔状部５６に係合可能である必要はない。固定具５０の固定本体部５２や皿状部５４等に係合する構成であってもよい。もっとも、ロック機構部２０が鍔状部５６に係合する構成とすることで、固定具５０の本来の機能である車体等への固定用の部分である固定本体部５２や皿状部５４に対する破損等を有効に防止できる。
【００５１】
また、受部１２には、結束バンド６０を固定具位置決め部１４に位置決めされる固定具５０のバンド挿通孔５８ａに向けて案内する案内路１６が形成されている。
【００５２】
ここでは、受部１２の上向き面に、上記２つのバンド挿通孔５８ａに対応して２つの案内路１６が形成されている。一対の案内路１６は、それぞれ断面略Ｕ字状の溝形状であり、上記一対の支持棒３２ａ間を通過するようにして略並列状態で延在している。そして、一対の案内路１６が、一対の結束バンド６０を、分岐線ＷＨｂの両側で分岐元線ＷＨａを結束可能な位置に略並行状に案内するようになっている。
【００５３】
また、各案内路１６の底面は、固定具位置決め部１４内に保持された固定具５０の鍔状部５６のバンド挿通部５８側の面（バンド挿通孔５８ａの鍔状部５６側の面）に対して略同一面状に延在するように形成されている。そして、各案内路１６で案内された結束バンド６０が各バンド挿通孔５８ａ内に円滑に挿入案内されるようになっている。
【００５４】
また、各案内路１６の一端側の開口部は、分岐線ＷＨｂの延出方向に向けて側方に開口しており、各案内路１６の他端側開口は、分岐線ＷＨｂの延出方向とは反対方向に向けて側方に開口している。各案内路１６の一端部開口部の外側側面は、結束バンド６０を容易に挿入できるように、外方に向けて順次拡開している。なお、案内路１６の他端側開口部の底面に当該開口から固定具位置決め部１４に向けて一段高くなる段差部を形成し、又は、案内路１６の他端側開口部の底面よりも固定具位置決め部１４に保持される固定具５０のバンド挿通孔５８ａの底面が一段高くなるようにしてもよい。これにより、各案内路１６の他端側開口から結束バンド６０を挿入すると、その先端部が当該段差に当接して挿入し難くなり、間違った方向からの挿入を抑制できる。
【００５５】
また、上記受部１２の上方に、バンド締付け具７０を、結束バンド６０を締付ける位置に配置可能な締付作業領域Ｅが設けられている。換言すれば、分岐部分ＷＨｄを受部１２上に載置すると共に固定具５０を固定具位置決め部１４に位置決め支持した状態で、分岐部分ＷＨｄに固定具５０と共に巻回された結束バンド６０を締付け可能となるように、本分岐部分結束用治具１０の形状等が設定され、より具体的には、例えば、元線支持棒２６の位置等が設定されている。
【００５６】
ここでは、受部１２に、固定具位置決め部１４を挟んで一対の支持棒３２ａの反対側に、元線支持棒２６（ここでは１本の元線支持棒２６）が立設されている。元線支持棒２６は、分岐線ＷＨｂとは反対側で、受部１２で支持される分岐部分ＷＨｄの分岐元線ＷＨａを支持する略棒状の部材であり、上記一対の支持棒３２ａよりも高さ寸法が小さく設定されている。この元線支持棒２６は、一対の支持棒３２ａを結ぶ線分の垂直２等分線を外れ、かつ、分岐部分ＷＨｄ周りに配設される結束バンド６０の上方位置を避けた位置に設けられる。ここでは、一方の支持棒３２ａに対して、受部１２に載置状に支持される分岐元線ＷＨａを挟んで反対側の位置に、元線支持棒２６が立設されている。
【００５７】
そして、この元線支持棒２６よりも一対の支持棒３２ａを結ぶ線分の垂直２等分線側、つまり、元線支持棒２６よりも固定具位置決め部１４側に締付作業領域Ｅが設けられている。これにより、分岐部分結束用治具１０とバンド締付け具７０との干渉を抑制して、当該バンド締付け具７０で結束バンド６０をしっかりと締付けることができる。ここで、バンド締付け具７０としては、角筒状のヘッド部分の先端部に係止部６４を引っかけた状態で、バンド本体部６２の他端部をヘッド部分内に引込むようにして、当該結束バンドを締付ける工具であり、結束工具等として一般に流通しているものを用いることができる。
【００５８】
なお、元線支持棒２６は、受部１２とは別体に形成されて当該受部１２に挿入保持されたものでもよいし、保持具３０と一体形成されて受部１２に挿通されたものでもよいし、受部１２と一体形成されたものであってもよい。
【００５９】
このように構成された分岐部分結束用治具１０を用いたワイヤーハーネスＷＨを製造方法について説明する。
【００６０】
まず、図８に示すように、固定具５０を受部１２の固定具位置決め部１４に嵌め込むようにして位置決め保持する。この際、固定具５０を固定具位置決め部１４に嵌め込む途中状態で、固定具５０の鍔状部５６が係脱片２１の先端部を一旦外方に移動させて被係合位置に移動させる。この後、固定具５０が固定具位置決め部１４内に完全に奥まで嵌め込まれた状態で、付勢部２２の付勢力により係脱片２１が係合位置に復帰し、固定具５０に係合して抜止め状に保持する。
【００６１】
この後、複数の電線を所定の３方向分岐形態で、本分岐部分結束用治具１０上に配設し、分岐部分ＷＨｄを受部１２で載置状に支持すると共に、分岐線ＷＨｂを一対の支持棒３２ａで案内支持する。これにより、ワイヤーハーネスＷＨの分岐部分ＷＨｄが本分岐部分結束用治具１０上に仮に構築される。
【００６２】
この状態で、図９に示すように、２つの結束バンド６０のバンド本体部６２の他端部を、受部１２の側方から各案内路１６内に挿入する。そして、結束バンド６０を、案内路１６を経由させて、各バンド本体部６２の他端部を、固定具５０のバンド挿通孔５８ａ内に通して、受部１２の反対側側方に引出す。
【００６３】
この後、図１０に示すように、各結束バンド６０を、分岐線ＷＨｂの両側で分岐元線ＷＨａに巻回し、バンド本体部６２の他端部を係止部６４内に通す。
【００６４】
そして、図１１に示すように、分岐部分ＷＨｄを受部１２で載置状に支持したままの状態で、バンド締付け具７０を上記締付作業領域Ｅ近傍に配設し、バンド本体部６２の他端部をバンド締付け具７０に導いて所定の締結動作を実施する。すると、バンド本体部６２の他端部が係止部６４からさらに引張られ、分岐元線ＷＨａの締付け結束がなされる。これを両結束バンド６０に対して実施する。そして、操作片２３を受部１２の外側方に向けて指等で押して係脱片２１による固定具５０の係合を解除した状態で、分岐部分ＷＨｄ及び固定具５０を本分岐部分結束用治具１０から取外すと、図１及び図２に示すように、分岐元線ＷＨａが分岐線ＷＨｂの両側で結束バンド６０により締結固定されると共に、その結束バンド６０で固定具５０が固定された分岐部分ＷＨｄが得られる。
【００６５】
なお、ワイヤーハーネスＷＨの他の部分は、他の結束バンドや粘着テープ等、周知構成を含む種々の構成で結束することができる。
【００６６】
そして、このように製造されたワイヤーハーネスＷＨでは、固定具５０を車体等の固定孔に取付けて配設することができる。この場合、分岐部分ＷＨｄが直接的に車体等に固定されることになるため、当該固定部分を固定された基準点として、各分岐元線ＷＨａや分岐線ＷＨｂを取回して配線することができる。このため、ワイヤーハーネスＷＨを比較的正確に位置決めして配設することができる。
【００６７】
以上のように構成されたワイヤーハーネスＷＨの分岐部分結束用治具１０によると、受部１２に固定具位置決め部１４が形成され、受部１２の上方に締付作業領域Ｅが設けられているため、固定具位置決め部１４に固定具５０を位置決めすると共に、ワイヤーハーネスＷＨの分岐部分ＷＨｄを受部１２で載置状に支持した状態で、結束バンド６０の締付けを行える。このため、分岐部分ＷＨｄの根本近くへの固定具５０の取付及び結束バンド６０の締付けを簡易に行え、また、分岐部分ＷＨｄ及び固定具５０の取付位置の寸法精度を向上できる。
【００６８】
また、一対の結束バンド６０を、分岐線ＷＨｂの両側で分岐元線ＷＨａを結束可能な位置に略並行状に案内する一対の案内路１６が形成されているため、一対の結束バンド６０により、分岐線ＷＨｂの両側で分岐元線ＷＨａを結束し易くなる。これにより、結束後に結束バンド６０がずれにくくなり、分岐部分線ＷＨｄの形態が安定する。
【００６９】
また、固定具位置決め部１４を挟んで一対の支持棒３２ａの反対側に、元線支持棒２６が立設されているため、元線支持棒２６で分岐元線ＷＨａを支持しつつ、その分岐線ＷＨｂの両側で分岐元線ＷＨａに対する一対の結束バンド６０締付作業を行える。これにより、分岐部分ＷＨｄ及び固定具５０の取付位置の寸法精度をより向上できる。
【００７０】
また、一対の支持棒３２ａを結ぶ線分の垂直２等分線上を外れ、かつ、分岐部分ＷＨｄ周りに配設される結束バンド６０の上方位置を避けた位置に、元線支持棒２６が設けられているため、一対の結束バンド６０間に連続した締付作業領域Ｅが確保され、一対の結束バンド６０を連続的に結束作業し易い。
【００７１】
また、受部１２の固定具位置決め部１４内で固定具５０の浮き上がりを防止するように、固定具５０に係脱可能に係止するロック機構部２０が設けられているため、結束バンド６０の締付作業時等における固定具５０の浮き上がりをより確実に防止できる。これにより、分岐部分ＷＨｄ及び固定具５０の取付位置の寸法精度をより確実に向上できる。
【００７２】
また、結束バンド６０は、案内路１６の側方から挿入できるため、案内路１６の屈曲度合が緩くなり、結束バンド６０を円滑に挿入できる。
【００７３】
特に、案内路１６は、受部１２の上向き面に同一平面上に延在するように形成されているため、結束バンド６０をあまり屈曲させることなく、円滑に挿入することができる。
【００７４】
また、ワイヤーハーネスＷＨの直線状部分を保持可能な略Ｕ字状部分を有する、汎用性ある保持具３０に、上記受部１２を装着することで、本分岐部分結束用治具１０を構成しているため、本分岐部分結束用治具１０を比較的安価に提供できる。
【００７５】
｛変形例｝
なお、受部１２の上方に締付作業領域Ｅを設ける態様は、上記実施形態の態様に限られない。
【００７６】
図１２は変形例に係るワイヤーハーネスの分岐部分結束用治具を示しており、図１２（ａ）は同分岐部分結束用治具を示す平面図であり、図１２（ｂ）は同分岐部分結束用治具を示す正面図であり、図１２（ｃ）は同分岐部分結束用治具を示す背面図であり、図１２（ｄ）は同分岐部分結束用治具を示す側面図である。上記実施形態に係る分岐部分結束用治具１０との主な相違点を説明すると、この分岐部分結束用治具１１０は、一対の支持棒３２ａを結ぶ線分の垂直２等分線上の位置に、分岐部分ＷＨｄとは反対側で、受部１２で支持される分岐元線ＷＨａを支持する元線支持棒１２６を有している。元線支持棒１２６は、上記保持具３０に一体化されて受部１２をその上方に突出するように貫通している。なお、元線支持棒１２６は、受部１２に突設状に固定された構成であっても構わない。
【００７７】
そして、一対の支持棒３２ａを結ぶ方向において元線支持棒１２６の両側それぞれに、各結束バンド６０を締付けるための締付作業領域１００Ｅが設けられている。そして、上記第１実施形態で説明したのと同様に元線支持棒１２６で分岐元線ＷＨａを支持しつつ、前記各締付作業領域１００Ｅに順次又は同時に締付け具７０を配することで、分岐線ＷＨｂの両側で分岐元線ＷＨａに対する一対の結束バンド６０の締付作業を行える。これにより、上記実施形態の場合と同様の作用効果を奏することができる。
【００７８】
要するに、受部１２の上方に、バンド締付け具７０を、結束バンド６０を締付ける位置に配置可能な締付作業領域Ｅ，１００Ｅが設けられていればよい。かかる構成には、元線支持棒２６，１２６を省略した構成も含まれる。
【００７９】
また、上記実施形態では、保持具３０に、これとは別体とされた受部１２を装着する構成で説明したが、これらは全て一体化されていてもよい。また、適宜別々に構成されて合体する構成であってもよい。
【図面の簡単な説明】
【００８０】
【図１】ワイヤーハーネスの分岐部分を示す底面図である。
【図２】ワイヤーハーネスの分岐部分を示す側面図である。
【図３】固定具を示す斜視図である。
【図４】図４（ａ）は固定具を示す平面図、図４（ｂ）は固定具を示す正面図、図４（ｃ）は固定具を示す底面図、図４（ｄ）は固定具を示す側面図である。
【図５】図５（ａ）は結束バンドを示す正面図であり、図５（ｂ）は結束バンドを示す一部断面側面図である。
【図６】ワイヤーハーネスの分岐部分結束用治具に固定具をセットした状態を示す斜視図である。
【図７】図７（ａ）は同状態を示す平面図であり、図７（ｂ）は同状態を示す側面図であり、図７（ｃ）は同状態を示す正面図であり、図７（ｄ）は同状態を示す側面図であり、図７（ｅ）は同状態を示す背面図である。
【図８】ワイヤーハーネスの製造工程を示す図である。
【図９】ワイヤーハーネスの製造工程を示す図である。
【図１０】ワイヤーハーネスの製造工程を示す図である。
【図１１】ワイヤーハーネスの製造工程を示す図である。
【図１２】変形例に係るワイヤーハーネスの分岐部分結束用治具を示す平面図であり、図１２（ｂ）は同分岐部分結束用治具を示す正面図であり、図１２（ｃ）は同分岐部分結束用治具を示す背面図であり、図１２（ｄ）は同分岐部分結束用治具を示す側面図である。
【符号の説明】
【００８１】
１０，１１０  分岐部分結束用治具
１２  受部
１２ｈ  装着孔
１４  固定具位置決め部
１６  案内路
２０  ロック機構部
２６，１２６  元線支持棒
３０  保持具
３２  略Ｕ字状部分
３２ａ  支持棒
５０  固定具
５６  鍔状部
５８  バンド挿通部
５８ａ  バンド挿通孔
６０  結束バンド
７０  バンド締付け具
Ｅ，１００Ｅ  締付作業領域
ＷＨ  ワイヤーハーネス
ＷＨａ  分岐元線
ＷＨｂ  分岐線
ＷＨｄ  分岐部分
【図１】
2008288131.tif 000003
【図２】
2008288131.tif 000004
【図３】
2008288131.tif 000005
【図４】
2008288131.tif 000006
【図５】
2008288131.tif 000007
【図６】
2008288131.tif 000008
【図７】
2008288131.tif 000009
【図８】
2008288131.tif 000010
【図９】
2008288131.tif 000011
【図１０】
2008288131.tif 000012
【図１１】
2008288131.tif 000013
【図１２】
2008288131.tif 000014